(57)【特許請求の範囲】
【請求項１】
所定の画素数の表示画像を表示可能な表示手段を備える画像表示装置であって、
前記表示画像の画素数よりも小さな画素数の複数の画像を作成可能な画像作成手段と、
前記画像を表示する位置の位置情報を設定する表示位置設定手段と、
前記位置情報に基づいて、前記表示画像中に、前記画像作成手段が作成した画像のうち、特定の画像を配置し、該配置された特定の画像の周囲の余白部分に表示可能な所定の余白表示画像を配置する画像配置手段とを備え、
前記表示手段が、前記画像配置手段により特定の画像及び余白表示画像が配置された表示画像に基づいて表示を行なうとともに、
前記表示位置設定手段が、前記表示画像に該表示画像を縮小してなる設定画像を表示する設定画像表示手段と、該設定画像のいずれかの位置を選択する位置選択手段と、該位置選択手段で選択された選択位置に対応した前記表示画像上の座標位置を算出して位置情報として出力する座標位置算出手段とを備えることを特徴とする画像表示装置。
【請求項２】
前記画像作成手段が、前記特定の画像の一部を複製して前記余白表示画像とする画面キャプチャ手段を備える請求項１記載の画像表示装置。
【請求項３】
前記余白表示画像を記憶する余白表示画像記憶手段を備え、
前記画像配置手段が、前記余白表示画像記憶手段の余白表示画像を読み出して前記表示画像中に配置する請求項１又は２記載の画像表示装置。
【請求項４】
前記画像作成手段が、前記余白表示画像記憶手段に記憶された余白表示画像を更新可能な余白表示画像更新手段を備える請求項３記載の画像表示装置。
【請求項５】
前記余白表示画像更新手段が、
前記画像作成手段による余白表示画像の作成時に用いた余白表示画像情報を記憶する余白表示画像情報記憶手段と、
前記余白表示画像情報記憶手段に記憶された余白表示画像情報を読み込んで編集する余白表示画像情報編集手段とを備え、
前記画像作成手段が、前記余白表示画像情報編集手段で編集された余白表示画像情報に基づいて余白表示画像を作成する請求項４記載の画像表示装置。
【請求項６】
前記特定の画像に基づいて拡大した拡大画像を作成可能な拡大画像作成手段と、
前記拡大画像作成手段の動作又は非動作を切り替え可能な拡大動作切替手段とを備え、
前記拡大動作切替手段が、前記拡大画像作成手段を動作させたときに、前記画像配置手段が、前記余白表示画像を前記拡大画像上に配置する請求項１〜５のいずれかに記載の画像表示装置。
【請求項７】
前記画像作成手段を含む本体と、
前記表示手段及び前記表示画像作成手段を含むディスプレイ装置とを備え、
前記本体が、
前記画像作成手段で作成された特定の画像を送信する特定画像送信手段と、
前記画像作成手段で作成された余白表示画像を送信する余白表示画像送信手段と、を備え、
前記ディスプレイ装置が、
前記特定画像送信手段からの特定の画像を受信する特定画像受信手段と、
前記余白表示画像送信手段からの余白表示画像を受信する余白表示画像受信手段と、を備える請求項１〜６のいずれかに記載の画像表示装置。
【請求項８】
前記画像作成手段が、前記特定の画像としてデスクトップ画像を作成し、前記画像作成手段が、前記余白表示画像として付箋画像を作成する請求項１〜７のいずれかに記載の画像表示装置。
【請求項９】
所定の画素数の表示画像を表示可能な表示手段を備えるディスプレイ装置であって、
前記表示画像の画素数よりも小さな画素数の複数の画像と、当該画像を表示する位置の位置情報を受信する受信手段と、
前記位置情報に基づいて、前記表示画像中に、前記受信手段で受信した画像のうち、特定の画像を配置し、該配置された特定の画像の周囲の余白部分に表示可能な所定の余白表示画像を配置する画像配置手段とを備え、
前記表示手段が、前記画像配置手段により特定の画像及び余白表示画像が配置された表示画像に基づいて表示を行ない、
前記受信手段が、前記表示画像に該表示画像を縮小してなる設定画像を表示する設定画像情報と、該設定画像のいずれかの位置を選択する位置選択情報と、該位置選択情報で選択された選択位置に対応した前記表示画像上の座標位置を示す位置情報を受信することを特徴とするディスプレイ装置。
【請求項１０】
所定の画素数の表示画像を作成する表示画像作成装置であって、
前記表示画像の画素数よりも小さな画素数の複数の画像と、当該画像を表示する位置の位置情報を受信する受信手段と、
前記位置情報に基づいて、前記表示画像中に、前記受信手段で受信した画像のうち、特定の画像を配置し、該配置された特定の画像の周囲の余白部分に表示可能な所定の余白表示画像を配置する画像配置手段と、
前記画像配置手段により特定の画像及び余白表示画像が配置された表示画像を出力する出力手段とを備え、
前記受信手段が、前記表示画像に該表示画像を縮小してなる設定画像を表示する設定画像情報と、該設定画像のいずれかの位置を選択する位置選択情報と、該位置選択情報で選択された選択位置に対応した前記表示画像上の座標位置を示す位置情報を受信することを特徴とする表示画像作成装置。
【請求項１１】
所定の画素数の表示画像を表示する画像表示方法であって、
前記表示画像の画素数よりも小さな画素数の複数の画像を作成可能な画像作成ステップと、
前記画像を表示する位置の位置情報を設定する表示位置設定ステップと、
前記位置情報に基づいて、前記表示画像中に、前記画像作成ステップで作成した画像のうち、特定の画像を配置し、該配置された特定の画像の周囲の余白部分に表示可能な所定の余白表示画像を配置する画像配置ステップと、
前記画像配置ステップにより特定の画像及び余白表示画像が配置された表示画像に基づいて表示を行なう表示ステップとを含み、
前記表示位置設定ステップが、前記表示画像に該表示画像を縮小してなる設定画像を表示する設定画像表示ステップと、該設定画像のいずれかの位置を選択する位置選択ステップと、該位置選択手段で選択された選択位置に対応した前記表示画像上の座標位置を算出して位置情報として出力する座標位置算出ステップとを含むことを特徴とする画像表示方法。
【請求項１２】
所定の画素数の表示画像を表示可能な画像表示装置のコンピュータを、
前記表示画像の画素数よりも小さな画素数の複数の画像を作成可能な画像作成手段、
前記画像を表示する位置の位置情報を設定する表示位置設定手段、
前記位置情報に基づいて、前記表示画像中に、前記画像作成手段が作成した画像のうち、特定の画像を配置し、該配置された特定の画像の周囲の余白部分に表示可能な所定の余白表示画像を配置する画像配置手段、
前記画像配置手段により特定の画像及び余白表示画像が配置された表示画像に基づいて表示を行なう前記表示手段として機能させるとともに、
前記表示位置設定手段を、前記表示画像に該表示画像を縮小してなる設定画像を表示する設定画像表示手段、該設定画像のいずれかの位置を選択する位置選択手段、該位置選択手段で選択された選択位置に対応した前記表示画像上の座標位置を算出して位置情報として出力する座標位置算出手段として機能させるための画像表示プログラム。
【発明の詳細な説明】
【技術分野】
【０００１】
本発明は、例えば、ディスプレイなどの表示手段に、所定の画像を表示可能な画像表示装置、ディスプレイ装置、表示画像作成装置、画像表示方法及び表示画像作成プログラムに関する。
【背景技術】
【０００２】
一般に、コンピュータは、ディスプレイに表示されたデスクトップ上に、一又は二以上のウィンドウを形成して種々の表示が可能なプログラムを備えている。
このようなプログラムにおいて、仮想の付箋紙の画像をデスクトップ上に表示して、メモの代わりに用いるものがある。
【０００３】
この種のプログラムを備えるコンピュータとしては、例えば、特許文献１記載のものが提案されている。
このコンピュータは、デスクトップ画像に、例えば、キーボードなどから入力されたメモを表示させておくため、いわゆる付箋ソフトウェアが実行可能となっている。
【０００４】
付箋ソフトウェアは、図１４に示すように、メモを表した付箋画像４５を形成するとともに、この付箋画像４５をデスクトップ画像４０の所定位置に配置する。
この付箋画像４５には、例えば、「○月○日に電話する」等のメモが形成されるとともに、メモをユーザが視認することにより、作業を忘れないようにしたりするための、いわゆるリマインダとして用いられる。
【０００５】
また、一般に、パソコン等のコンピュータに接続されるディスプレイは、コンピュータから出力された画像信号に基づいて画面表示を行なう。
この種のディスプレイとしては、例えば、特許文献１又は２記載のものが提案されている。
このディスプレイは、図１５に示すように、パソコンから出力された画像信号に含まれる例えば、デスクトップ画像４０の画素数が、ディスプレイの画面が表示する表示画像４の画素数（いわゆる画面解像度）より小さいときに、画像の外側にボーダ４２といわれる画像を付加する機能を備えている。
【０００６】
【特許文献１】特開２００６−０５３７４１号公報
【特許文献２】特公平０６−０９０６０８号公報
【特許文献３】特開平１０−３３３６５９号公報
【発明の開示】
【発明が解決しようとする課題】
【０００７】
ところで、例えば、特許文献１記載のようなパソコン及びディスプレイは、図１６に示すように、デスクトップ画像４０のような特定の画像中に、例えば、付箋画像４５のような画像が含まれてしまうので、何らかの作業を行なうため、他のアプリケーションソフトを起動して他のウィンドウ６０を開いたときに、このウィンドウ６０が画像（４５）と重なってしまうおそれがあった。
すなわち、例えば、付箋画像４５が、他のウィンドウ６０などが重なってしまうと、これらのウィンドウ６０により画像の一部又は全部が、ウィンドウ６０の後ろに隠れてしまい、付箋画像４５の全体が表示されなくなり、付箋画像４５全体が見にくくなってしまう。
そのため、付箋画像４５が、リマインダとしての用をなさなくなるおそれがあった。
【０００８】
また、上記の特許文献２及び３記載のディスプレイにおいては、ディスプレイの表示パネルが表示できる解像度より小さい解像度のデスクトップ画面信号が送られてくると、余白となる部分をいわゆるボーダという、何もない画像を付加するために、使用できないエリアができてしまうという問題があった。
【０００９】
本発明は、以上のような技術が有する問題を解決するために提案されたものであり、特定の画像に所定の画像が含まれないようにして表示し、これらの画像がそれぞれ視認できるようにし、また、余白部分に所定の画像を表示できるようにして表示画面全体を有効利用できるようにした画像表示装置、ディスプレイ装置、表示画像作成装置、画像表示方法及び表示画像作成プログラムの提供を目的とする。
【課題を解決するための手段】
【００１０】
上記目的を達成するため本発明の画像表示装置は、所定の画素数の表示画像を表示可能な表示手段を備える画像表示装置であって、前記表示画像の画素数よりも小さな画素数の複数の画像を作成可能な画像作成手段と、前記表示画像中に、前記画像作成手段が作成した画像のうち、特定の画像を配置し、該配置された特定の画像の周囲の余白部分に表示可能な所定の余白表示画像を配置する画像配置手段とを備え、前記表示手段が、前記画像配置手段により特定の画像及び余白表示画像が配置された表示画像に基づいて表示を行なう構成としている。
【００１１】
また、本発明のディスプレイ装置は、所定の画素数の表示画像を表示可能な表示手段を備えるディスプレイ装置であって、前記表示画像の画素数よりも小さな画素数の複数の画像を受信する受信手段と、前記表示画像中に、前記受信手段で受信した画像のうち、特定の画像を配置し、該配置された特定の画像の周囲の余白部分に表示可能な所定の余白表示画像を配置する画像配置手段とを備え、前記表示手段が、前記画像配置手段により特定の画像及び余白表示画像が配置された表示画像に基づいて表示を行なう構成としている。
【００１２】
また、本発明の表示画像作成装置は、所定の画素数の表示画像を作成する表示画像作成装置であって、前記表示画像の画素数よりも小さな画素数の複数の画像を受信する受信手段と、前記表示画像中に、前記受信手段で受信した画像のうち、特定の画像を配置し、該配置された特定の画像の周囲の余白部分に表示可能な所定の余白表示画像を配置する画像配置手段と、前記画像配置手段により特定の画像及び余白表示画像が配置された表示画像を出力する出力手段とを備えている。
【００１３】
また、本発明の画像表示方法は、所定の画素数の表示画像を表示する画像表示方法であって、前記表示画像の画素数よりも小さな画素数の複数の画像を作成可能な画像作成ステップと、前記表示画像中に、前記画像作成手段が作成した画像のうち、特定の画像を配置し、該配置された特定の画像の周囲の余白部分に表示可能な所定の余白表示画像を配置する画像配置ステップとを備え、前記画像配置手段により特定の画像及び余白表示画像が配置された表示画像に基づいて表示を行なう表示ステップとを含む構成としている。
【００１４】
また、本発明の表示画像作成プログラムは、所定の画素数の表示画像を表示可能な画像表示装置のコンピュータを、前記表示画像の画素数よりも小さな画素数の複数の画像を作成可能な画像作成手段、前記表示画像中に、前記画像作成手段が作成した画像のうち、特定の画像を配置し、該配置された特定の画像の周囲の余白部分に表示可能な所定の余白表示画像を配置する画像配置手段、前記画像配置手段により特定の画像及び余白表示画像が配置された表示画像に基づいて表示を行なう前記表示手段として機能させる。
【発明の効果】
【００１５】
本発明の画像表示装置、ディスプレイ装置、表示画像作成装置、画像表示方法及び画像表示プログラムは、特定の画像にその他の画像が含まれないようにして表示することができ、特定の画像及びその他の画像の双方を視認できるようにすることができる。
また、余白部分にその他の画像を表示できるようにして表示画面全体を有効利用することができる。
【発明を実施するための最良の形態】
【００１６】
以下、本発明に係る画像表示装置、ディスプレイ装置、表示画像作成装置、画像表示方法及び画像表示プログラムの好ましい実施形態について説明する。
【００１７】
［第一実施形態］
まず、本発明の第一実施形態に係る画像表示装置について説明する。
図１には、本実施形態に係る画像表示装置を示している。
また、図２〜図６は、本実施形態の画像表示装置のＬＣＤディスプレイ２の表示画面を示している。
図１に示すように、本実施形態の画像表示装置は、パーソナルコンピュータなど演算処理機能を備える本体１と、本体１に接続されるとともに所定の画素数の表示画像４を表示可能な表示手段を有したＬＣＤディスプレイ２とを備えている。
【００１８】
本体１は、図示しないマイクロプロセッサ、メモリ、ハードディスク、及び、ディスプレイに画像信号を出力するビデオカードなどを備えている。
また、本体１は、表示画像４の画素数よりも小さな画素数の一又は二以上の画像を作成可能な画像作成手段１０を備えている。
画像作成手段１０は、表示画像４の画素数よりも小さな画素数であって、例えば、デスクトップ画像などの画像を複数作成するものである。
この画像作成手段１０は、ハードディスクに記憶され、ＣＰＵで実行されるＯＳ（オペレーティングシステム）、ＯＳ上で作動させられるソフトウェア、ビデオカードとなどにより構成されている。
【００１９】
本実施形態において、画像作成手段１０は、特定の画像として、例えば、デスクトップ上に、一又は二以上のウィンドウを配置してなるデスクトップ画像４０を作成する。また、このデスクトップ画像４０は、例えば、１２８０×１０２４ｐｉｘｅｌ（横幅×縦幅）の画素数を有している。
また、画像作成手段１０は、特定の画像以外の画像として、例えば、付箋画像４５を作成可能となっている。
付箋画像４５は、後述の余白表示画像を構成している。
また、画像作成手段１０は、表示画像４中において、付箋画像４５が表示される位置を設定可能な表示位置設定手段１２３を備えている。
【００２０】
表示位置設定手段１２３は、表示画像４中に表示画像４を縮小表示してなる設定画像４１１を表示する設定画像表示手段１２４と、設定画像４１１のいずれかの位置を選択する位置選択手段４１５と、位置選択手段４１５で選択された選択位置に対応した表示画像上の座標位置を算出して位置情報として出力する座標位置算出手段１２５とを備えている。
このようにすると、ユーザが、視覚的に位置を設定できるようになり、容易に余白表示画像である付箋画像４５の表示位置を設定でき、ユーザ自身が付箋画像４５の表示位置を設定できるので、付箋画像４５を見やすくすることができる。
【００２１】
また、画像作成手段１０が、後述の余白表示画像記憶手段（２６）に記憶された余白表示画像を更新可能な余白表示画像更新手段１２０を備えている。
余白表示画像更新手段１２０は、画像作成手段１０による付箋画像の作成時に用いた付箋画像情報を記憶する余白表示画像情報記憶手段１２１と、余白表示画像情報記憶手段１２１に記憶された付箋画像情報を読み込んで編集する余白表示画像情報編集手段１２２とを備えている。
そして、画像作成手段１０が、余白表示画像情報編集手段１２２で編集された付箋画像情報に基づいて付箋画像４５を作成する。
【００２２】
本実施形態において、画像作成手段１０は、付箋ソフトウェアで構成されている。本付箋ソフトウェアは、付箋画像４５を、ハードディスクに記憶されＣＰＵで実行されることにより作成する。
付箋ソフトウェアは、ＬＣＤディスプレイ２の表示画像４において、デスクトップ上に付箋ソフトウェアのウィンドウ４１を形成する。
また、付箋ソフトウェアは、ウィンドウ４１に形成された仮想的な付箋画像４１０を表示して、ユーザに「○月○日に電話」などのテキストデータ及び付箋画像４５の画像サイズなどを入力させて、テキストデータ及び画像サイズ情報からなる付箋画像情報を形成する。そして、この付箋画像情報により付箋画像４５を作成する。
【００２３】
また、付箋ソフトウェアは、デスクトップ上に表示画像４の仮想的な縮小ウィンドウ４１１（設定画像）を形成可能になっている。
この縮小ウィンドウ４１１は、例えば、その表示画像中において、特定の画像の領域とボーダ４２の領域とをユーザが認識可能に表示している。
また、付箋ソフトウェアは、指定される位置が、デスクトップ画像４０の周囲のボーダ４２部分のみ指定可能としている。
【００２４】
付箋ソフトウェアは、縮小ウィンドウ４１１の任意の位置（例えば、位置４１２）が、例えば、マウス等の入力装置のカーソル４１５により指定されると、この指定した位置に基づいて位置情報を設定する。
付箋ソフトウェアは、指定された座標に相対的に対応する表示画像４の座標を位置情報とする。
このようにすると、ユーザが、視覚的に位置を設定できるようになり、容易に余白表示画像である付箋画像４５の表示位置を設定できる。
【００２５】
付箋ソフトウェアは、付箋画像４５の作成時に、付箋画像情報を、例えば、ハードディスクで構成されている。
また、付箋ソフトウェアは、ユーザの操作により付箋画像を更新するときに、ハードディスクに記憶した付箋画像情報を取り出すとともに、この付箋画像情報を画面に表示させてユーザに表示された付箋画像情報を編集させる。そして、編集された付箋画像情報に基づいて新たな付箋画像４５を作成する。
このようにすると、既存の付箋画像４５を変更することができる。
【００２６】
また、付箋ソフトウェアは、付箋画像４５を作成したときに、付箋画像４５に用いた付箋画像情報を余白表示画像情報記憶手段１２１としてのハードディスクに記憶しておく。
また、付箋ソフトウェアは、ユーザの操作により付箋画像４５を更新するときに、ハードディスクに記憶した付箋画像情報を取り出すとともに、この付箋画像情報を画面に表示させてユーザに表示された付箋画像情報を編集させる。そして、編集された付箋画像情報に基づいて新たな付箋画像４５を作成する。
このようにすると、既存の付箋画像４５を変更することができる。
【００２７】
また、本体１は、画像作成手段で作成されたデスクトップ画像４０を送信する特定画像送信手段１１と、付箋画像をＬＣＤディスプレイ２側に送信する余白表示画像送信手段１３とを備えている。
また、特定画像送信手段１１は、ビデオカードで構成されている。
ビデオカードは、デスクトップ画像４０を特定画像信号に含ませて、例えば、この特定画像信号を、Ｄ−ｓｕｂコネクタやＤＶＩコネクタ等で構成される出力ポートから、これに接続された所定のケーブルを介してディスプレイ側に出力する。
【００３１】
また、本体１は、画像作成手段１０が作成したその他の画像をＬＣＤディスプレイ２側に送信する余白表示画像送信手段を備えている。
余白表示画像送信手段１３は、付箋ソフトウェアにより作成された付箋画像を、所定の信号にしてディスプレイ側に送信する機能を備えている。
本実施形態においては、余白表示画像送信手段１３は、ＵＳＢ（Ｕｎｉｖｅｒｓａｌ Ｓｅｒｉａｌ Ｂｕｓ）規格によりＬＣＤディスプレイ２間との通信を行なうＵＳＢ送信手段１３で構成されており、ＵＳＢによる通信のためのコントローラ等（図示せず）を備えている。
【００３２】
また、ＬＣＤディスプレイ２は、特定画像信号を受信する特定画像受信手段と、特定画像受信手段で受信した特定画像信号を解析するデスクトップ信号の解析手段２３とを備えている。
特定画像信号受信手段は、特定画像信号を受信するインタフェースであるディスプレイアダプタ２２で構成されている。
ディスプレイアダプタ２２は、例えば、Ｄ−ｓｕｂコネクタ、ＤＶＩコネクタ等で構成されている。
信号解析手段２３は、ディスプレイアダプタ２２から出力される特定画像信号に基づいてデスクトップ画像４０の画素数（画面解像度）を検出する。
【００３３】
ＬＣＤディスプレイ２は、具体的には、表示画像４が記憶される表示画像メモリ２７と、表示画像メモリ２７に記憶された表示画像４を読み込んで表示画像４を表示可能な画面を有したＬＣＤパネル２０を備えている。
表示画像メモリ２７は、例えば、ＲＡＭで構成されており、本発明の表示画像データ記憶手段を構成している。
ＬＣＤパネル２０は、所定の画面解像度（本実施形態では、１９２０×１２８０ｐｉｘｅｌ（横幅×縦幅））を有しており、本発明の表示手段を構成している。
そして、ＬＣＤパネル２０は、表示画像メモリ２７に記憶された表示画像４に基づいて表示を行なう。
【００３４】
また、ＬＣＤディスプレイ２は、付箋画像４５を含む信号を受信するＵＳＢ受信手段２４と、この信号から付箋画像４５を取り出すＵＳＢ命令解析手段２５と、を備えている。
ＵＳＢ受信手段２４は、本体１とＵＳＢで接続するためのインタフェースであって、本発明の余白表示画像受信手段を構成している。
【００３５】
ＵＳＢ命令解析手段２５は、ＵＳＢ受信手段２４で受信した本体１からの伝送信号に含まれたＵＳＢ命令を解析して、このＵＳＢ命令に応じた処理を実行する機能を備えている。
ＵＳＢ命令解析手段２５は、ＵＳＢ命令に応じた処理として、ＵＳＢ受信手段２４で受信した付箋画像４５を付箋用メモリ２６に記憶させたり、位置情報を出力したりする。
【００３６】
付箋用メモリ２６は、本発明の余白画像を記憶する余白表示画像記憶手段を構成している。
このようにすると、付箋用メモリ２６に余白表示画像である付箋画像４５を記憶させることにより、ＬＣＤディスプレイ２が、常時、本体１側から付箋画像４５を受信しなくても画面に付箋画像４５を表示させることができる。
そのため、本体１及びＬＣＤディスプレイ２間でデータの送受信が低減されるので、各処理効率を向上させることができる。
【００３７】
また、ＬＣＤディスプレイ２は、表示画像４中に、画像作成手段１０が作成した画像のうち、特定の画像を配置し、配置された特定の画像の周囲の余白部分に表示可能な所定の余白表示画像を配置する画像配置手段２１を備えている。
この画像配置手段２１は、信号解析手段２３及びディスプレイアダプタ２２からの出力される特定画像信号に基づいて、特定の画像としてデスクトップ画像４０を取り出す。
また、画像配置手段２１は、デスクトップ画像４０の周囲の余白部分に、余白表示画像として付箋画像４５を配置し、他の余白部分にボーダ４２を配置してなる表示画像を表示画像メモリ２７に書き込む。
また、画像配置手段２１は、ＵＳＢ命令解析手段２５からの位置情報が入力され、これに基づいて付箋画像を配置する。
【００３８】
また、画像配置手段２１は、ＬＣＤパネル２０が表示可能な最大の画素数と同じ大きさの画素数のデスクトップ画像を含む特定画像信号が入力されたときは、ボーダ４２を配置しないで、そのままデスクトップ画像に重ねて付箋画像を配置する。
なお、画像配置手段２１、ＵＳＢ命令解析手段２５などは、ＬＣＤディスプレイ２が備えるマイクロプロセッサで実行される所定のプログラムにより実現される。
【００３９】
次に、以上の構成からなる画像表示装置の動作を、図２〜図６を参照しつつ説明する。
まず、本体１が起動されると、本体１のＯＳ及びビデオカードが、起動プロセスの画像や、デスクトップ画像４０などを作成するとともに、１２８０×１０２４の画面解像度のデスクトップ画像信号をビデオカードから出力する。
このデスクトップ画像信号は、ディスプレイアダプタ２２で受信されると、ディスプレイアダプタ２２が、信号解析手段２３及び画像配置手段２１にこの信号を出力する。
【００４０】
信号解析手段２３は、デスクトップ画像信号が入力されると、デスクトップ画像信号の画素数（画面解像度）を解析し、この画素数を画像配置手段２１に出力する。
また、画像配置手段２１は、デスクトップ画像信号を受信すると、信号解析手段２３で解析された画面解像度に応じたデスクトップ画像４０を生成する。
そして、画像配置手段は、デスクトップ画像４０を配置し、その周囲にボーダ４２を配置してなる表示画像４を表示画像メモリ２７に書き込む。
ＬＣＤディスプレイ２は、表示画像メモリ２７に入力された表示画像４を、所定のリフレッシュレートで（例えば、１秒間に６０回）読み込んで、表示画像４を出力する（図１５参照）。
【００４１】
次に、ユーザは、このようにしてＬＣＤパネル２０上に表示された画面を参照しながら、次のようにして付箋画像４５を画面に表示させる（図２参照）。
まず、ユーザが、所定の操作により付箋ソフトウェアを起動させると、付箋ソフトウェアが、デスクトップ上に付箋画像４５を作成するためのウィンドウ４１を形成する。
この際、付箋ソフトウェアには、ユーザが仮想的な付箋画像４１０に、キーボードなどの入力装置を操作することにより、例えば、「○月○日に電話」等のテキストデータの入力がなされる。
【００４２】
次に、ユーザが、付箋ソフトウェアに対してテキストデータの確定を行なうと、付箋ソフトウェアは、表示位置を設定するために、デスクトップ画像４０に縮小ウィンドウ４１１を表示させる（図３参照）。
付箋ソフトウェアは、縮小ウィンドウ４１１の任意の位置が、ユーザにより操作するカーソル４１５を用いて表示位置４１２として指定されると、この位置に対応する表示画像４の座標位置を、位置情報として付箋画像情報に付加する。
次に、付箋ソフトウェアは、付箋画像情報から付箋画像４５を作成するとともに、これに、付箋画像４５である旨のＵＳＢ命令を付加する。
また、付箋ソフトウェアは、付箋画像情報に、付箋画像４５の画像サイズ情報を付箋画像情報に付加するとともに、付箋画像情報を、ハードディスクに記憶させる。
【００４３】
そして、付箋ソフトウェアは、ＵＳＢの伝送信号に、付箋画像４５を含ませて、これをＵＳＢ送信手段１３から送信する。
ＬＣＤディスプレイ２は、本体１からＵＳＢの伝送信号をＵＳＢ受信手段２４で受信すると、これを、ＵＳＢ命令解析手段２５に出力する。
ＵＳＢ命令解析手段２５は、この伝送信号に含まれるＵＳＢ命令に基づいて、送られてきた伝送信号のデータが、付箋画像４５であることを認識し、付箋画像４５を取り出して付箋メモリ２６に記憶させる。
【００４４】
次に、付箋ソフトウェアは、付箋画像情報の位置情報及びサイズ情報を、これが位置情報及びサイズ情報である旨のＵＳＢ命令を付加して、ＵＳＢの伝送信号に含ませ、これをＵＳＢ送信手段１３から送信させる。
ＬＣＤディスプレイ２は、本体１からこのＵＳＢの伝送信号をＵＳＢ受信手段２４で受信すると、これを、ＵＳＢ命令解析手段２５に出力する。
ＵＳＢ命令解析手段２５は、この伝送信号に含まれるＵＳＢ命令に基づいて、送られてきた伝送信号のデータが、付箋画像４５の位置情報であることを認識し、付箋画像４５の位置情報を取り出して画像配置手段２１に出力する。
【００４５】
画像配置手段２１は、ＵＳＢ命令解析手段２５から位置情報などが入力されると、付箋画像４５の入力があったことを認識し、この位置情報に対応する付箋画像４５を、付箋メモリ２６から読み込む。
また、画像配置手段２１は、読み込んだ付箋画像４５を、デスクトップ画像４０の余白部分に位置情報に基づいて配置してなる表示画像４を、表示画像メモリ２７に書き込む。
そして、表示画像メモリ２７の表示画像４は、ＬＣＤパネル２０で上記と同様にして読み込まれ、ＬＣＤパネル２０に表示される。
【００４６】
このようにすると、ボーダ４２部分に付箋画像４５を有した表示画像４が、ＬＣＤパネル２０の表示画面に表示される。
これにより、デスクトップ画像４０に、付箋画像４５を含ませることなく、ＬＣＤパネル２０の表示画像４中に付箋画像４５を配置するので、付箋画像４５が他のウィンドウ６０に隠れてしまう事態を確実に防止することができる（図４参照）。
また、付箋画像４５は、ボーダ４２部分に配置されるので、付箋画像４５がデスクトップ画像４０の一部を隠すことなく付箋画像４５をＬＣＤパネル２０の表示画面に表示することができる。
そして、ユーザは画面を見ると、付箋画像４５が他のウィンドウに隠れないので、付箋画像４５を確実に視認することができ、付箋画像４５がリマインダとして機能することができる。
【００４７】
次に、付箋画像４５の表示内容を変更したいときには、例えば、以下のようになる。
付箋ソフトウェアが、ユーザが所定の操作を行なうことにより実行されると、付箋画像情報を余白表示画像情報記憶手段１２１から読み込むとともに、この付箋画像情報のテキストデータを仮想的な付箋画像４１３上に展開する（図５参照）。
そして、付箋ソフトウェアは、ユーザがこのテキストデータを編集し、これを確定すると、上記と同様にして、表示位置設定のウィンドウ４１１（図３）を表示させ、このステップで表示位置４１２の指定があると付箋画像４５ａ及び位置情報などをＬＣＤディスプレイ２側にＵＳＢの伝送信号を介して出力する。
【００４８】
この付箋画像４５ａ及び位置情報等は、ＵＳＢ受信手段２４で受信されてＵＳＢ命令解析手段２５で解析される。
また、付箋画像４５ａは、ＵＳＢ命令解析手段２５により、付箋メモリ２６上の既存の付箋画像４５に上書きされて更新される。
次に、画像配置手段２１は、上記と同様にして、付箋メモリ２６から付箋画像４５ａを読み出すとともに、上記と同様にして、位置情報に基づいて付箋画像４５を、余白部分に配置してなる表示画像４を、表示画像メモリ２７に記憶させる。
表示画像メモリ２７は、ＬＣＤパネル２０に表示画像４を出力し、表示画像４をＬＣＤパネル２０の画面に表示させる（図６参照）。
このようにすると、表示画像４中の付箋画像を容易に更新することができる。
【００４９】
以上説明したように、本発明の本実施形態の装置を用いた画像表示装置によれば、画像配置手段２１が、表示画像中に、ボーダ４２（余白部分）に、付箋画像４５（余白表示画像）を配置するので、付箋画像４５がデスクトップ画像４０の一部を隠すことなく付箋画像４５を表示画面に表示することができる。
また、画像配置手段２１が、付箋画像４５がボーダ４２上に配置するので、付箋画像４５がＬＣＤディスプレイ２のボーダ４２部分に表示できるようになり、画面の余白部分を有効に用いることができる。
【００５０】
［第二実施形態］
次に、本発明の第二実施形態に係る画像表示装置について説明する。
図７には、本実施形態に係る画像表示装置の機能構成図を示している。
この画像表示装置は、上記第一実施形態の画像表示装置と、ＵＳＢ送信手段１３、ＵＳＢ受信手段２４及びＵＳＢ命令解析手段２５がない点で異なる。
そして、本体１が、ＵＳＢの代わりにＤＤＣにより、余白表示画像などをＬＣＤディスプレイ２側に送信している。
【００５１】
ＤＤＣ（Ｄｉｓｐｌａｙ  Ｄａｔａ  Ｃｈａｎｎｅｌ）は、ＶＥＳＡ（Ｖｉｄｅｏ  Ｅｌｅｃｔｒｏｎｉｃｓ  Ｓｔａｎｄａｒｄｓ）という標準化団体が標準化したインタフェースであり、ビデオカード及びディスプレイアダプタ２２ａ間の特定画像信号を伝送するケーブルと一体に設けられている。
【００５２】
具体的には、本体１には、画像作成手段１０に接続される余白表示画像送信手段としてのＤＤＣ送信手段１３ａが備えられている。
また、ＬＣＤディスプレイ２には、ディスプレイアダプタ２２ａに接続された余白表示画像受信手段としてのＤＤＣ受信手段２４ａと、ＤＤＣ命令解析手段２５ａとを備えている。
ＤＤＣ送信手段１３ａは、ケーブルを介して余白表示画像及び表示位置などの余白表示画像情報を含む伝送信号をＬＣＤディスプレイ２側に送信している。
【００５３】
ＤＤＣ受信手段２４ａは、ディスプレイアダプタ２２ａを介してＤＤＣ上の伝送信号を受信して、ＤＤＣ命令解析手段２５ａに出力する。
ＤＤＣ命令解析手段２５ａは、ＵＳＢ命令解析手段と同様に、所定のＤＤＣ命令を解析することにより、伝送信号に含まれる付箋画像４５、付箋画像を取り出して、付箋画像を付箋用メモリ２６に記憶させ、画像配置手段２１に位置情報を出力する。
【００５４】
このようにすると、ＤＤＣが、特定画像送信手段１１としても機能するビデオカードと、特定画像受信手段であるディスプレイアダプタ２２ａとを接続するケーブル１５と一体に設けられているので、余白表示画像送信手段及び余白表示画像受信手段専用の回線を用意しなくてもよくなり、配線を簡単にすることができる。
その他の構成及び作用は、上記第一実施形態のものと同様である。
【００５５】
以上の構成からなる本実施形態の画像表示装置の動作を説明する。
デスクトップ画像信号は、上記第一実施形態と同様にして本体１からディスプレイアダプタ２２ａに送受信される。
すなわち、付箋ソフトウェアが実行されて、付箋画像４５及び位置情報データが作成されると、これらの付箋画像４５及び位置情報を含む伝送信号が、ＤＤＣ送信手段１３ａによりＬＣＤディスプレイ２側に送信される。
【００５６】
ディスプレイアダプタ２２ａは、受信した伝送信号をＤＤＣ受信手段２４ａに出力する。
ＤＤＣ受信手段２４ａは、受信した伝送信号を、ＤＤＣ命令解析手段２５ａに送る。
ＤＤＣ命令解析手段２５ａでは、伝送信号に含まれる表示命令を解析し、添付されているメモ書きを付箋用メモリ２６に格納する。
【００５７】
また、ＤＤＣ命令解析手段２５ａは、上記ＵＳＢ命令解析手段２５と同様に、ＤＤＣ命令を解析し、付箋画像４５を付箋メモリ２６に記憶させ、付箋画像４５の位置情報、及び、表示サイズ情報を画像配置手段２１に出力する。
画像配置手段２１は、位置情報及び表示サイズ情報が設定されたことにより、付箋画像４５を付箋用メモリ２６から読み出し、付箋画像４５をボーダ４２部分に配置してなる表示画像４を表示画像メモリ２７に書き込む。
その後、上記と同様にして、表示画像メモリ２７は、書き込まれた表示画像４をＬＣＤパネル２０に送るとともに、ＬＣＤパネル２０は、付箋画像４５がボーダ４２部分に配置された表示画像４を表示する。
【００５８】
以上説明したように、本実施形態の画像表示装置によれば、本体１とＬＣＤディスプレイ２間の接続に用いられるケーブルと一体のＤＤＣを介して付箋画像４５を受信しているので、付箋画像４５などを伝送するための専用のケーブルを別途本体１及びＬＣＤディスプレイ２間に設けなくてもよくなり、本体１とＬＣＤディスプレイ２間の結線を簡単にすることができる。また、配線も簡単にすることができる。
【００５９】
［第三実施形態］
次に、本発明の第三実施形態に係る画像表示装置を説明する。
図８には、本実施形態に係る画像表示装置を示している。
この画像表示装置は、ＬＣＤディスプレイ２に、ディスプレイアダプタ２２で受信したディスプレイ画像に基づいて拡大した拡大画像を作成可能な拡大画像作成手段２８と、画像配置手段２１に、拡大画像作成手段２８の動作又は非動作を切り替え可能な拡大動作切替手段とを備える点で上記第一実施形態の画像表示装置と異なる。
そして、拡大動作切替手段が、拡大画像作成手段２８を動作させたときに、画像配置手段２１が、付箋画像４５を拡大画像上に上書きしてなる表示画像４を表示画像メモリに書き込む構成としている。
【００６０】
詳しくは、拡大画像作成手段２８は、本体１からのディスプレイ画像を、表示画像４の表示サイズと同じ画素数（１９２０×１２８０ｐｉｘｅｌ）に拡大するいわゆるアップスキャンコンバータで構成される。
また、拡大動作切替手段は、スイッチ２９で形成されている。
【００６１】
以上の構成からなる画像表示装置の動作を、図９を参照しつつ説明する。
図９は、本実施形態の画像表示装置のＬＣＤディスプレイの表示画面を示している。
まず、スイッチ２９が、拡大画像作成手段２８を非動作にしている場合には、上記第一実施形態の画像表示装置と同様に動作する。
また、スイッチ２９が、拡大画像作成手段２８を動作させている場合には、上記第一実施形態の画像表示装置と同様にして、本体１から特定の画像としてのデスクトップ画像を含むデスクトップ画像信号が送られてくるとディスプレイアダプタ２２で受信する。
【００６２】
次に、拡大画像作成手段２８が、デスクトップ画像信号から、信号解析手段２３が検出した画素数に基づいてデスクトップ画像を生成する。そして、拡大画像作成手段２８が、画素数が１２８０×１０２４ピクセルのデスクトップ画像を拡大して、１９２０×１２８０の拡大デスクトップ画像４０ａのイメージデータを作成する。
拡大画像作成手段２８は、画像配置手段２１に拡大デスクトップ画像４０ａを出力する。
【００６３】
画像配置手段２１は、拡大画像作成手段２８からの拡大デスクトップ画像４０ａ上に、ＵＳＢ命令解析手段２５からの位置情報に基づいて、付箋メモリ２６に記憶された付箋画像４５を配置し、これを表示画像メモリ２７に書き込む。
その後、上記と同様にして、表示画像メモリ２７は、書き込まれた内容をＬＣＤパネル２０に送り、ＬＣＤパネル２０に付箋画像４５を含む拡大されたデスクトップ画像４０ａである表示画像４を表示する（図９参照）。
【００６４】
以上説明したように、本実施形態の画像表示装置によれば、デスクトップ画像４０を拡大するので、ボーダ４２部分がなくなり、ＬＣＤディスプレイ２の表示画面を有効に利用することができる。
また、デスクトップ画像４０を拡大しても、付箋画像４５を確実にＬＣＤパネル２の表示画面に表示させることができ、メモ内容が見にくくなる事態を防止することができる。
【００６５】
［第四実施形態］
次に、本発明の第四実施形態に係る画像表示装置について説明する。
図１０には、本実施形態に係る画像表示装置を示している。
図１１及び図１２には、本実施形態の画像表示装置のＬＣＤディスプレイ２の表示画面を示している。
図１０に示すように、この画像表示装置は、上述の第一実施形態の画像表示装置と、画像作成手段１０が、デスクトップ画像４０の一部を複製して付箋画像４５ａとする画面キャプチャ手段１２７を備える点で異なる。
【００６６】
以上の構成からなる本実施形態の画像表示装置の動作を、図１１及び図１２を参照しつつ説明する。
この画像表示装置において、付箋ソフトウェアは、ユーザが入力装置を操作することにより、デスクトップ画像４０の所定範囲（４１４）が指定されたとき、この指定範囲４１４のデスクトップ画像４０を複製する（図１１参照）。
そして、付箋ソフトウェアは、この複製されたイメージデータを、付箋画像４５ａとする。
このようにすると、デスクトップ画像４０の一部を、付箋画像４５ａとしてデスクトップ画像４０の一部をボーダ４２部分に表示することができる（図１２参照）。
その他の作用及び効果は上記実施形態と同様である。
【００６７】
［第五実施形態］
次に、本発明の第五実施形態に係る画像表示装置について説明する。
図１３には、本実施形態に係る画像表示装置を示している。
この画像表示装置は、上記の第一実施形態の画像表示装置と、ＬＣＤディスプレイ３と、このＬＣＤディスプレイ３と本体１との間に介装される表示画像作成装置とを備える点で異なる。
【００６８】
ＬＣＤディスプレイ３は、例えば、１９２０×１２８０ｐｉｘｅｌの表示画像を表示可能なＬＣＤパネルを備えている。このＬＣＤディスプレイ３は、既存のＬＣＤディスプレイなどであってよい。
また、表示画像作成装置２ａは、上記第一実施形態の画像表示装置のＬＣＤディスプレイとほぼ同様であるが、ＬＣＤパネルがなく、ディスプレイアダプタ２２、信号解析手段２３、ＵＳＢ受信手段２４、ＵＳＢ命令解析手段２５、付箋メモリ２６、画像配置手段２１、表示画像メモリ２７及び表示画像メモリ２７をＬＣＤディスプレイ３に出力する出力手段２７ａを備えている。
その他の構成は、上記実施形態のものと同様の構成になっている。
【００６９】
以上の構成からなる画像表示装置においては、本体１の特定画像送信手段１１から出力されたディスプレイ画像信号が、表示画像作成装置２のディスプレイアダプタ２２で受信されて、画像配置手段２１で表示画像が生成される。
また、ＵＳＢ送信手段１３から出力されたＵＳＢの伝送信号が、表示画像作成装置２ａのＵＳＢ受信手段２４で受信されると、ＵＳＢ命令解析手段２５が、付箋メモリ２６に付箋画像を記憶させ、位置情報及画像サイズ情報を画像配置手段２１に出力する。
【００７０】
次に、画像配置手段２１が、上記実施形態と同様にして、表示画像を作成し、これを表示画像メモリ２７に書き込む。
そして、表示画像作成装置２ａは、表示画像メモリ２７に記憶された表示画像を、出力手段２７ａを介してＬＣＤディスプレイ３に出力する。
【００７１】
以上説明したように本実施形態の画像表示装置は、表示画像作成装置２ａにおいて、表示画像を作成するので、既存のＬＣＤディスプレイ等のディスプレイ３にも、表示することができる。そのため、導入コストを低減することができる。
その他の作用及び効果は、上記実施形態と同様である。
【００７２】
以上、本発明の画像表示装置について、好ましい実施形態を示して説明したが、本発明に係る画像表示装置は、上述した実施形態にのみ限定されるものではなく、本発明の範囲で種々の変更実施が可能であることは言うまでもない。
例えば、各余白表示画像の表示位置を、個別にユーザが指定するようにしたが、これに限定されるものでなく、所定の位置に表示させるようにしてもよい。
【００７３】
また、上記実施形態においては、余白表示画像として付箋画像を一つだけボーダに配置したが、これに限定されるものでなく、二以上配置するようにしてもよい。
また、上記実施形態においては、位置設定手段により付箋画像の位置のみを設定したがこれに限定されるものでなく、デスクトップ画像（特定の画像）を設定できるようにしてもよい。
【００７４】
また、上記実施形態において、余白表示画像が付箋画像である構成としたが、これに限定されるものでなく、例えば、写真画像などどのような画像であってもよい。
また、表示画像、デスクトップ画像などの画素数は、上述のものに限定されることなく、例えば、ＳＸＧＡ、ＵＸＧＡ等の既存の画素数、及び、任意の画素数であってよく、適宜設計変更して差支えない。
【図面の簡単な説明】
【００７５】
【図１】本発明の第一実施形態に係る画像表示装置を示す概略構成図である。
【図２】本発明の第一実施形態に係る画像表示装置の表示画面を、表示する付箋画像のテキストデータを入力するときの状態で示す図である。
【図３】本発明の第一実施形態に係る画像表示装置の表示画面を、付箋画像の表示位置を設定するときの状態で示す図である。
【図４】本発明の第一実施形態に係る画像表示装置の表示画面であって、付箋画像とともにデスクトップ画像を表示した状態で示す図である。
【図５】本発明の第一実施形態に係る画像表示装置の表示画面を、付箋画像を更新するときの状態で示す図である。
【図６】本発明の第一実施形態に係る画像表示装置の表示画面であって、付箋画像とともにデスクトップ画像を表示した状態で示す図である。
【図７】本発明の第二実施形態に係る画像表示装置を示す概略構成図である。
【図８】本発明の第三実施形態に係る画像表示装置を示す概略構成図である。
【図９】本発明の第三実施形態に係る画像表示装置の表示画面を、付箋画像とともに拡大したデスクトップ画像を表示した状態で示す図である。
【図１０】本発明の第四実施形態に係る画像表示装置を示す概略構成図である。
【図１１】本発明の第四実施形態に係る画像表示装置の表示画面を、表示する付箋画像を指定するときの状態で示す図である。
【図１２】本発明の第四実施形態に係る画像表示装置の表示画面であって、付箋画像とともにデスクトップ画像を表示した状態で示す図である。
【図１３】本発明の第五実施形態に係る画像表示装置を示す概略構成図である。
【図１４】画像表示装置の表示画面の一例を示す図である。
【図１５】画像表示装置の表示画面を、特定の画像の周囲に余白部分を設けた状態で示す図である。
【図１６】画像表示装置の表示画面の別の一例を示す図である。
【符号の説明】
【００７６】
１  本体
１０  画像作成手段
１１  特定画像送信手段
１２０  余白表示画像更新手段
１２１  余白表示画像情報記憶手段
１２２  余白表示画像情報編集手段
１２３  表示位置設定手段
１２４  位置選択手段
２  ＬＣＤディスプレイ
２０  ＬＳＣパネル（表示手段）
２１  画像配置手段
２２，２２ａ  ディスプレイアダプタ（特定画像受信手段）
２３  信号解析手段
２４  ＵＳＢ受信手段（余白表示画像受信手段）
２４ａ  ＤＤＣ受信手段
２５  ＵＳＢ命令解析手段
２５ａ  ＤＤＣ命令解析手段
２６  付箋メモリ（余白表示画像記憶手段）
２７  表示画像メモリ（表示画像記憶手段）
２７ａ  出力手段
２８  特定画像拡大手段
２９  スイッチ（拡大動作切替手段）
３  ＬＣＤディスプレイ
４  表示画像
４０，４０ａ  デスクトップ画像
４１  付箋画像作成ウィンドウ
４１０，４１３  仮想の付箋画像
４１１  縮小ウィンドウ
４１２  指定位置
４１５  カーソル（位置選択手段）
４２  ボーダ（余白部分）
４５，４５ａ  付箋画像
【図１】
0004497209.tif 000002
【図２】
0004497209.tif 000003
【図３】
0004497209.tif 000004
【図４】
0004497209.tif 000005
【図５】
0004497209.tif 000006
【図６】
0004497209.tif 000007
【図７】
0004497209.tif 000008
【図８】
0004497209.tif 000009
【図９】
0004497209.tif 000010
【図１０】
0004497209.tif 000011
【図１１】
0004497209.tif 000012
【図１２】
0004497209.tif 000013
【図１３】
0004497209.tif 000014
【図１４】
0004497209.tif 000015
【図１５】
0004497209.tif 000016
【図１６】
0004497209.tif 000017